【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
ロッドを脊椎部に接続する装置であって、
遠位端と近位端との間に延びる中心線を有するアンカーと、
前記近位端に接続され、前記ロッドを受け止めるための受け止め部を形成する、オフセットされた第１および第２のアームとを備え、
前記アームの距離は、拡大された距離を有する第１の位置と縮小された距離を有する第２の位置との間において調節可能であり、前記中心線は前記第１の位置と前記第２の位置の両方において前記受け止め部を通って延びている、装置。
【請求項２】
前記第１のアームは、前記近位端に固定して配置され、前記第２のアームは、前記近位端に移動可能なように配置される、請求項１に記載の装置。
【請求項３】
前記第１および第２のアームはそれぞれ、前記近位端に移動可能なように配置されている、請求項１に記載の装置。
【請求項４】
前記第１のアームは偶数の突起を備え、前記第２のアームは奇数の突起を備える、請求項１に記載の装置。
【請求項５】
前記第１のアームは、前記第２のアーム内に形成された空隙に配置される、請求項１に記載の装置。
【請求項６】
前記第１および第２のアームは完全にオフセットされている、請求項５に記載の装置。
【請求項７】
前記受け止め部の開口が、実質的に前記アンカーから離れる方向を向いている、請求項１に記載の装置。
【請求項８】
前記受け止め部の開口が、前記中心線から離れる方へ角度をなして、側方に配置される、請求項１に記載の装置。
【請求項９】
前記第１および第２のアームは、前記近位端と回転可能なように接続される、請求項１に記載の装置。
【請求項１０】
前記第１および第２のアームのうちの１つをロックする手段をさらに備える、請求項１に記載の装置。
【請求項１１】
ロッドを脊椎部に接続する装置であって、
遠位端および近位端を有するアンカーと、
前記近位端に配置され、受け止め部を形成するアームを有する第１および第２の部材であって、前記第１の部材のアームは前記第２の部材における空隙に位置合わせされる、第１および第２の部材と
を備え、
前記第１および第２の部材は、前記近位端に移動可能なように接続され、前記ロッドを受け止めるための拡大されたサイズを有する第１の位置と、前記ロッドを収容するための縮小されたサイズを有する第２の位置との間における前記受け止め部のサイズを調節する、装置。
【請求項１２】
前記受け止め部の開口が、前記アンカーから離れる方向に開口している、請求項１１に記載の装置。
【請求項１３】
前記受け止め部の開口が、前記アンカーの中心線から離れる方へ角度をなして、側方に配置される、請求項１１に記載の装置。
【請求項１４】
前記第２の位置における前記受け止め部が、前記アンカーの中心線に位置合わせされている、請求項１１に記載の装置。
【請求項１５】
前記第２の位置における前記受け止め部が、前記アンカーの中心線と位置合わせされていない、請求項１１に記載の装置。
【請求項１６】
前記第１の位置における受け止め部は、前記アンカーの中心線に位置合わせされている、請求項１５に記載の装置。
【請求項１７】
前記アームが完全にオフセットされている、請求項１１に記載の装置。
【請求項１８】
前記第１および第２の部材は、前記アンカーに回転可能なように接続される、請求項１１に記載の装置。
【手続補正２】
【補正対象書類名】明細書
【補正対象項目名】００１９
【補正方法】変更
【補正の内容】
【００１９】
図６Ｂは、空隙２５によって分離された対のアーム２１を有する第１の部材２２を示す。第１および第２の部分６４、６５は、アーム２１から外側に延びている。各部分６４、６５は、基部２６のスロット６１内に嵌合されるようにサイズを合わされた、外側のスロット６７の下側の部分を含む。部分６４、６５は、空隙６６によって間隔を置かれている。へこみ部分６８は、第１および第２の部分６４、６５の間に延びている。図６Ｃは、アーム２１および外側に延びているプラットホーム２７を有する第２の部材２３を示す。プラットホーム２７は、第１の部材２２の内側のスロット６７内に嵌合する、スロット６８′の下側の部分を含む。
【手続補正３】
【補正対象書類名】明細書
【補正対象項目名】００２０
【補正方法】変更
【補正の内容】
【００２０】
図７は、基部２６上に配置された第１および第２の部材２２、２３を有する装置の組み立てられた図を示す。第１の部材２２は、部分６４、６５の下端が底部６３上におかれ、基部２６のスロット６１内に第１および第２の部分６４、６５の外側のスロット６７が配置された状態で、配置される。第２の部材２３は、第１および第２の部分６４、６５の間に形成された空隙６６内に配置されるプラットホーム２７を含む。プラットホーム２７上の、スロット６８′の下側の部分は、第１および第２の部分６４、６５の内側のスロット６７内に嵌合し、プラットホーム２７の下面は、基部２６のフロア６３上におかれる。
【手続補正４】
【補正対象書類名】明細書
【補正対象項目名】００２４
【補正方法】変更
【補正の内容】
【００２４】
図６Ａに概して示される一実施形態において、基部２６は、中心線Ｃに対して直交しない角度にて、角度を付けられている。これにより、受け止め部１５への開口は横方向に角度を付けられる。部材２２、２３の片方または両方は、開位置と閉位置との間において、受け止め部１５のサイズを調整することができるように、基部２６に沿って移動可能である。一実施形態において、部材２２、２３の片方または両方は、基部２６内を滑り、受け止め部１５のサイズを調節する。別の実施形態において、部材２２、２３の片方または両方は、基部２６に対して回転可能である。図１１は、回転可能な第１の部材２２の一実施形態を示す。第１の部材２２は、外縁に沿って延びているスロット６７を有する湾曲形状を有する。第１の部材２２は、基部２６の底部６３に対して嵌合し、スロット６７は基部２６のスロット６１内に配置される。第１の部材２２は基部２６内で移動可能であり、受け止め部１５の位置およびサイズを調節する。
【手続補正５】
【補正対象書類名】明細書
【補正対象項目名】００２９
【補正方法】変更
【補正の内容】
【００２９】
【図１】実施形態による装置に接続されるロッドの斜視図である。
【図２】実施形態による装置の分解斜視図である。
【図３】実施形態による開位置における装置の部分側面図である。
【図４】実施形態による、ロッドに接続するための、閉位置における装置の部分側面図である。
【図５】実施形態によるロック機構の略断面図である。
【図６Ａ】実施形態によるアンカーの斜視図である。
【図６Ｂ】実施形態による第１の部材の斜視図である。
【図６Ｃ】実施形態による第２の部材の斜視図である。
【図７】実施形態による開位置における装置の斜視図である。
【図８】実施形態による閉位置における装置の斜視図である。
【図９】実施形態による開位置における装置の部分側面図である。
【図１０】実施形態による閉位置における装置の部分側面図である。
【図１１】実施形態による部材の斜視図である。
【図１２】実施形態による、装置に接続されている ロッドの斜視図である。
【図１３】実施形態による、装置に接続されているロッドの斜視図である。
【図１４】実施形態による、ロッドに接続するための、閉位置における装置の部分側面図である。
【手続補正６】
【補正対象書類名】図面
【補正対象項目名】図６Ｃ
【補正方法】変更
【補正の内容】
【図６Ｃ】
2009525075.tif 000001